【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
複数のコームコポリマー粒子を含む水性コーティング組成物であって、
前記コームコポリマー粒子が、コームコポリマーを含み、
前記コームコポリマーが、主鎖、およびそこに結合された少なくとも１つのグラフトセグメントを含み、
前記コームコポリマーは、前記コームコポリマーを含む水性分散液が、少なくとも２５％の硬／軟バランスアドバンテージ値を有することを特徴とする水性コーティング組成物。
【請求項２】
前記グラフトセグメントが、重合単位として、マクロモノマーから誘導され、
前記グラフトセグメントが、重合単位として、前記マクロモノマーの総重量を基準として、５重量％未満の酸含有モノマーを含む、
請求項１に記載の水性コーティング組成物。
【請求項３】
前記グラフトセグメントが、重合単位として、非メタクリレートモノマーから誘導される少なくとも１つの単位を含む請求項１に記載の水性コーティング組成物。
【請求項４】
前記コームコポリマーが、
（ａ）複数のマクロモノマーの水不溶性粒子を含むマクロモノマー水性エマルジョンを形成する工程であって、前記マクロモノマーが、少なくとも１つの第一のエチレン性不飽和モノマーの重合単位を含み、前記マクロモノマーがさらに、
（ｉ）１０〜１０００の重合度、
（ｉｉ）少なくとも１つの末端エチレン性不飽和基、
（ｉｉｉ）前記マクロモノマーの重量を基準として、５重量％未満の重合された酸含有モノマー、および
（ｉｖ）１モル％未満の重合されたメルカプタン−オレフィン化合物、
を有する工程、
（ｂ）少なくとも１つの第二のエチレン性不飽和モノマーを含むモノマー組成物を形成する工程、
（ｃ）前記マクロモノマー水性エマルジョンの少なくとも一部、および前記モノマー組成物の少なくとも一部を合せて、重合反応混合物を形成する工程、および
（ｄ）開始剤の存在下で、前記第二のエチレン性不飽和モノマーと、前記マクロモノマーを重合して、前記複数のコームコポリマー粒子を生成する工程、
を含む重合方法によって生成されることを特徴とする、請求項１に記載の水性コーティング組成物。
【請求項５】
前記重合反応混合物が、さらにマクロモレキュール有機化合物を含む請求項４に記載の水性コーティング組成物。
【請求項６】
（ａ）複数のコームコポリマー粒子を含む水性コーティング組成物を形成する工程であって、
前記コームコポリマー粒子が、コームコポリマーを含み、
前記コームコポリマーが、主鎖、およびそこに結合される少なくとも１つのグラフトセグメントを含み、
前記コームコポリマーは、前記コームコポリマーを含む水性分散液が、少なくとも２５％の硬／軟バランスアドバンテージ値を有する工程、
（ｂ）前記コーティング組成物を、基質に適用する工程、および
（ｃ）前記適用されたコーティング組成物を乾燥し、または乾燥させる工程、
を含むことを特徴とする乾燥コーティングを形成する方法。
【請求項７】
前記コームコポリマーが、
（ａ）複数のマクロモノマーの水不溶性粒子を含むマクロモノマー水性エマルジョンを形成する工程であって、前記マクロモノマーが、少なくとも１つの第一のエチレン性不飽和モノマーの重合単位を含み、前記マクロモノマーがさらに、
（ｉ）１０〜１０００の重合度、
（ｉｉ）少なくとも１つの末端エチレン性不飽和基、
（ｉｉｉ）前記マクロモノマーを基準として、５重量％未満の重合された酸含有モノマー、および
（ｉｖ）１モル％未満の重合されたメルカプタン−オレフィン化合物、
を有する工程、
（ｂ）少なくとも１つの第二のエチレン性不飽和モノマーを含むモノマー組成物を形成する工程、
（ｃ）前記マクロモノマー水性エマルジョンの少なくとも一部、および前記モノマー組成物の少なくとも一部を合せて、重合反応混合物を形成する工程、
（ｄ）開始剤の存在下で、前記第二のエチレン性不飽和モノマーと、前記マクロモノマーを重合して、前記複数のコームコポリマー粒子を生成する工程、
を含む重合方法によって生成されることを特徴とする、請求項６に記載の方法。
【請求項８】
前記重合反応混合物が、さらにマクロモレキュール有機化合物を含む請求項７に記載の方法。
【請求項９】
コームコポリマーが、主鎖、およびそこに結合される少なくとも１つのグラフトセグメントを含み、
前記コームコポリマーは、前記コームコポリマーを含む水性分散液が、少なくとも２５％の硬／軟バランスアドバンテージ値を有することで特徴付けられる、
コームコポリマーを含む乾燥コーティング。
【請求項１０】
請求項６の方法によって生成される乾燥コーティング。
【手続補正２】
【補正対象書類名】明細書
【補正対象項目名】０１２３
【補正方法】変更
【補正の内容】
【０１２３】
例えば、ブラッシング、ローリング、および例えば、空気霧状スプレー、エアアシストスプレー、エアレススプレー、高容積低圧力スプレー、およびエアアシストエアレススプレーのような噴霧方法のような従来のコーティング適用方法は、本発明の方法に使用されうる。さらに、ある種の系に関して、コーキングガン、ロールコーター、カーテンコーターのような他の使用技術が適用されうる。水性系は、例えば、プラスチック、木、金属、下塗表面、予め塗装された表面、耐候劣化塗料表面、ガラス、複合材、およびセメント状基質のような基質に有利に適用されうる。乾燥は、一般に、例えば、０℃〜３５℃のような周囲条件下で加工されるが、しかし加熱または低湿度で促進されうる。
本発明は、以下の態様を包含する。
１）複数のコームコポリマー粒子を含む水性コーティング組成物であって、
前記コームコポリマー粒子が、コームコポリマーを含み、
前記コームコポリマーが、主鎖、およびそこに結合された少なくとも１つのグラフトセグメントを含み、
前記コームコポリマーは、前記コームコポリマーを含む水性分散液が、少なくとも２５％の硬／軟バランスアドバンテージ値を有することを特徴とする水性コーティング組成物。
２）前記コームコポリマーが、５０，０００〜２，０００，０００の重量平均分子量を有する項１）に記載の水性コーティング組成物。
３）前記グラフトセグメントが、重合単位として、マクロモノマーから誘導され、
前記グラフトセグメントが、重合単位として、前記マクロモノマーの総重量を基準として、５重量％未満の酸含有モノマーを含む、
項１）に記載の水性コーティング組成物。
４）前記グラフトセグメントが、重合単位として、マクロモノマーから誘導され、
前記グラフトセグメントが、重合単位として、前記マクロモノマーの総重量を基準として、１重量％未満の酸含有モノマーを含む、
項１）に記載の水性コーティング組成物。
５）前記グラフトセグメントが、重合単位として、非メタクリレートモノマーから誘導される少なくとも１つの単位を含む項１）に記載の水性コーティング組成物。
６）前記グラフトセグメントが、重合単位として、マクロモノマーから誘導され、
前記グラフトセグメントが、重合単位として、前記マクロモノマーの総重量を基準として、５重量％〜５０重量％の非メタクリレートモノマーを含む、
項１）に記載の水性コーティング組成物。
７）前記グラフトセグメントが、重合単位として、マクロモノマーから誘導され、
前記グラフトセグメントが、１０〜１，０００の重合度を有し、前記グラフトセグメントの重合度が、前記マクロモノマーの重合度として表現される、
項１）に記載の水性コーティング組成物。
８）前記グラフトセグメントが、重合単位として、マクロモノマーから誘導され、
前記グラフトセグメントが、１０〜５０未満の重合度を有し、前記グラフトセグメントの重合度が、前記マクロモノマーの重合度として表現される、
項１）に記載の水性コーティング組成物。
９）前記グラフトセグメントが、３０〜１３０℃のガラス転移温度を有する項１）に記載の水性コーティング組成物。
１０）前記主鎖が、−９０〜５０℃のガラス転移温度を有する項１）に記載の水性コーティング組成物。
１１）前記グラフトセグメントが、前記コームコポリマーの重量を基準として、１〜７０重量％の量で存在する項１）に記載の水性コーティング組成物。
１２）さらに、前記コームコポリマーの重量を基準として、０重量％〜４０重量％の量で融合剤を含む、項１）に記載の水性コーティング組成物。
１３）さらに、前記コームコポリマーの重量を基準として、１〜５０重量％の量でオリゴマーを含む、項１）に記載の水性コーティング組成物。
１４）前記コームコポリマーが、
（ａ）複数のマクロモノマーの水不溶性粒子を含むマクロモノマー水性エマルジョンを形成する工程であって、前記マクロモノマーが、少なくとも１つの第一のエチレン性不飽和モノマーの重合単位を含み、前記マクロモノマーがさらに、
（ｉ）１０〜１０００の重合度、
（ｉｉ）少なくとも１つの末端エチレン性不飽和基、
（ｉｉｉ）前記マクロモノマーの重量を基準として、５重量％未満の重合された酸含有モノマー、および
（ｉｖ）１モル％未満の重合されたメルカプタン−オレフィン化合物、
を有する工程、
（ｂ）少なくとも１つの第二のエチレン性不飽和モノマーを含むモノマー組成物を形成する工程、
（ｃ）前記マクロモノマー水性エマルジョンの少なくとも一部、および前記モノマー組成物の少なくとも一部を合せて、重合反応混合物を形成する工程、および
（ｄ）開始剤の存在下で、前記第二のエチレン性不飽和モノマーと、前記マクロモノマーを重合して、前記複数のコームコポリマー粒子を生成する工程、
を含む重合方法によって生成されることを特徴とする、項１）に記載の水性コーティング組成物。
１５）前記重合反応混合物が、さらにマクロモレキュール有機化合物を含む項１４）に記載の水性コーティング組成物。
１６）（ａ）複数のコームコポリマー粒子を含む水性コーティング組成物を形成する工程であって、
前記コームコポリマー粒子が、コームコポリマーを含み、
前記コームコポリマーが、主鎖、およびそこに結合される少なくとも１つのグラフトセグメントを含み、
前記コームコポリマーは、前記コームコポリマーを含む水性分散液が、少なくとも２５％の硬／軟バランスアドバンテージ値を有する工程、
（ｂ）前記コーティング組成物を、基質に適用する工程、および
（ｃ）前記適用されたコーティング組成物を乾燥し、または乾燥させる工程、
を含むことを特徴とする乾燥コーティングを形成する方法。
１７）前記コームコポリマーが、
（ａ）複数のマクロモノマーの水不溶性粒子を含むマクロモノマー水性エマルジョンを形成する工程であって、前記マクロモノマーが、少なくとも１つの第一のエチレン性不飽和モノマーの重合単位を含み、前記マクロモノマーがさらに、  （ｉ）１０〜１０００の重合度、
（ｉｉ）少なくとも１つの末端エチレン性不飽和基、
（ｉｉｉ）前記マクロモノマーを基準として、５重量％未満の重合された酸含有モノマー、および
（ｉｖ）１モル％未満の重合されたメルカプタン−オレフィン化合物、
を有する工程、
（ｂ）少なくとも１つの第二のエチレン性不飽和モノマーを含むモノマー組成物を形成する工程、
（ｃ）前記マクロモノマー水性エマルジョンの少なくとも一部、および前記モノマー組成物の少なくとも一部を合せて、重合反応混合物を形成する工程、
（ｄ）開始剤の存在下で、前記第二のエチレン性不飽和モノマーと、前記マクロモノマーを重合して、前記複数のコームコポリマー粒子を生成する工程、
を含む重合方法によって生成されることを特徴とする、項１６）に記載の方法。
１８）前記重合反応混合物が、さらにマクロモレキュール有機化合物を含む項１７）に記載の方法。
１９）コームコポリマーが、主鎖、およびそこに結合される少なくとも１つのグラフトセグメントを含み、
前記コームコポリマーは、前記コームコポリマーを含む水性分散液が、少なくとも２５％の硬／軟バランスアドバンテージ値を有することで特徴付けられる、
コームコポリマーを含む乾燥コーティング。
２０）項１６）の方法によって生成される乾燥コーティング。